Podtech/llm-jp-corpus-v4-ja_patent huggingface dataset:
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
可変表示を行い、有利状態に制御可能な遊技機であって、
可変表示に関する情報を保留記憶情報として記憶する保留記憶手段と、
前記保留記憶手段に記憶されている保留記憶情報に対応して保留表示を表示する保留表示手段と、
前記有利状態に制御するか否かを決定する決定手段と、
前記決定手段の決定前に、前記有利状態に制御されるか否かを判定する判定手段と、
前記判定手段による判定結果にもとづいて、保留表示を通常態様とは異なる表示態様に変化させる予告演出を実行する予告演出実行手段と、
保留表示の表示態様が変化する場合と、保留表示の表示態様が変化しない場合とで実行可能な演出であって、保留表示の表示態様が変化することを示唆する示唆演出を実行する示唆演出実行手段と、
前記決定手段による決定にもとづいて、特定演出を実行する特定演出実行手段とを備え、
前記示唆演出実行手段は、
前記保留表示手段によって表示されている保留表示のうちに前記通常態様とは異なる表示態様で表示されている保留表示があるときは、前記通常態様とは異なる表示態様で表示されている保留表示がないときと比べて、前記示唆演出を高い割合で実行可能であり、
前記特定演出実行手段によって前記特定演出が実行されていないときに前記示唆演出を実行可能であり、
保留表示の表示態様が変化する場合と、保留表示の表示態様が変化しない場合とで、第１態様の前記示唆演出が実行される割合と第２態様の前記示唆演出が実行される割合とが異なる、遊技機。
【手続補正２】
【補正対象書類名】明細書
【補正対象項目名】０００１
【補正方法】変更
【補正の内容】
【０００１】
本発明は、可変表示を行い、有利状態に制御可能な遊技機に関する。
【手続補正３】
【補正対象書類名】明細書
【補正対象項目名】０００９
【補正方法】変更
【補正の内容】
【０００９】
（Ａ）  可変表示（例えば、第１特別図柄や第２特別図柄、演出図柄の変動表示）を行い、有利状態（例えば、大当り遊技状態）に制御可能な遊技機であって、
可変表示に関する情報を保留記憶情報（例えば、第１保留記憶や第２保留記憶）として記憶する保留記憶手段（例えば、第１保留記憶バッファや第２保留記憶バッファ）と、
前記保留記憶手段に記憶されている保留記憶情報に対応して保留表示を表示する保留表示手段（例えば、合算保留記憶表示部１８ｃ）と、
前記有利状態に制御するか否かを決定する決定手段（例えば、遊技制御用マイクロコンピュータ５６０がステップＳ６１，Ｓ６２，Ｓ７３を実行する部分）と、
前記決定手段の決定前に、前記有利状態に制御されるか否かを判定する判定手段（例えば、遊技制御用マイクロコンピュータ５６０がステップＳ１２１７，Ｓ１２２８を実行する部分）と、
前記判定手段による判定結果にもとづいて、保留表示を通常態様とは異なる表示態様（例えば、特殊態様や第１特別態様、第２特別態様）に変化させる予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、
保留表示の表示態様が変化する場合と、保留表示の表示態様が変化しない場合とで実行可能な演出であって、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）と、
前記決定手段による決定にもとづいて、特定演出を実行する特定演出実行手段とを備え、
前記示唆演出実行手段は、
前記保留表示手段によって表示されている保留表示のうちに前記通常態様とは異なる表示態様で表示されている保留表示があるときは、前記通常態様とは異なる表示態様で表示されている保留表示がないときと比べて、前記示唆演出を高い割合で実行可能であり、
前記特定演出実行手段によって前記特定演出が実行されていないときに前記示唆演出を実行可能であり、
保留表示の表示態様が変化する場合と、保留表示の表示態様が変化しない場合とで、第１態様の前記示唆演出が実行される割合と第２態様の前記示唆演出が実行される割合とが異なる。
（１）  可変表示（例えば、第１特別図柄や第２特別図柄、演出図柄の変動表示）を行い、有利状態（例えば、大当り遊技状態）に制御可能な遊技機であって、
可変表示に関する情報を保留記憶情報（例えば、第１保留記憶や第２保留記憶）として記憶する保留記憶手段（例えば、第１保留記憶バッファや第２保留記憶バッファ）と、
前記保留記憶手段に記憶されている保留記憶情報に対応して保留表示を表示する保留表示手段（例えば、合算保留記憶表示部１８ｃ）と、
前記有利状態に制御するか否かを決定する決定手段（例えば、遊技制御用マイクロコンピュータ５６０がステップＳ６１，Ｓ６２，Ｓ７３を実行する部分）と、
前記決定手段の決定前に、前記有利状態に制御されるか否かを判定する判定手段（例えば、遊技制御用マイクロコンピュータ５６０がステップＳ１２１７，Ｓ１２２８を実行する部分）と、
前記判定手段による判定結果にもとづいて、保留表示を通常態様とは異なる表示態様（例えば、特殊態様や第１特別態様、第２特別態様）に変化させる予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、
保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）とを備え、
前記予告演出実行手段は、前記保留表示手段によって表示されている保留表示のうちのいずれの保留表示の表示態様を変化させて表示するか（例えば、いずれのシフトタイミングで保留表示を変化させて表示するか）によって前記有利状態に制御される可能性を異なる期待度により予告する予告演出を実行可能であり（例えば、演出制御用マイクロコンピュータ１００が、最終表示態様と先読み演出パターンとにもとづいて、変化タイミングを決定する先読み演出決定処理（ステップＳ６７１，Ｓ６７１０８）を実行する部分と、先読み演出決定処理の決定結果にもとづいて、ステップＳ１８１３，Ｓ１８４５を実行する部分。図３５〜図３８参照）、
前記決定手段による決定にもとづいて、特定演出を実行する特定演出実行手段をさらに備え、
前記示唆演出実行手段は、
前記保留表示手段によって表示されている保留表示のうちに前記通常態様とは異なる表示態様で表示されている保留表示があるか否かに応じて、異なる割合で示唆演出を実行し、
前記特定演出実行手段によって前記特定演出が実行されていないときに前記示唆演出を実行可能である。
【手続補正４】
【補正対象書類名】明細書
【補正対象項目名】００１０
【補正方法】変更
【補正の内容】
【００１０】
このような構成によれば、予告演出の興趣を高めることができる。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
第１始動条件の成立にもとづいて変動表示を行う第１変動表示手段と、第２始動条件の成立にもとづいて変動表示を行う第２変動表示手段と、を備え、前記第１変動表示手段または前記第２変動表示手段の変動表示における表示結果として予め定められた特定表示結果が導出表示されたときに遊技者にとって有利な有利状態に制御可能な遊技機であって、
前記第１始動条件または前記第２始動条件が成立したことにもとづいて、未だ開始されていない変動表示に関する情報を保留記憶として記憶可能な保留記憶手段と、
前記有利状態に制御するか否かを決定する決定手段と、
前記保留記憶に対応する変動表示の表示結果として前記特定表示結果が導出表示されるか否かを示唆する先読み予告演出を当該保留記憶に対応する変動表示より前に実行される変動表示において実行可能な先読み予告演出実行手段と、
遊技媒体が進入可能な特定領域と、
遊技媒体が前記特定領域に進入しやすい第１状態と進入しないまたは進入しにくい第２状態とに変化可能な可変進入装置と、
を備え、
前記決定手段は、前記第２変動表示手段で変動表示が行われる場合には、前記第１変動表示手段で変動表示が行われる場合と比較して高い割合で前記有利状態に制御することを決定し、
遊技媒体が前記特定領域に進入した場合に前記第２始動条件が成立し、
前記先読み予告演出実行手段は、前記第１始動条件と前記第２始動条件が同時に成立した場合に、前記第１始動条件の成立にともなって記憶される保留記憶に対応する変動表示を対象とする先読み予告演出は実行せず、前記第２始動条件の成立にともなって記憶される保留記憶に対応する変動表示を対象とする先読み予告演出を実行可能である
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
第１始動条件の成立（例えば、第１始動口スイッチ２２Ａによる遊技球の検出）にもとづいて変動表示（例えば、第１特別図柄や演出図柄の変動表示）を行う第１変動表示手段（例えば、第１特別図柄表示器４Ａや演出表示装置５）と、第２始動条件の成立（例えば、第２始動口スイッチ２２Ｂによる遊技球の検出）にもとづいて変動表示（例えば、第２特別図柄や演出図柄）を行う第２変動表示手段（例えば、第２特別図柄表示器４Ｂや演出表示装置５）と、を備え、前記第１変動表示手段または前記第２変動表示手段の変動表示における表示結果として予め定められた特定表示結果（例えば、大当り図柄）が導出表示されたときに遊技者にとって有利な有利状態（例えば、大当り遊技状態や確変状態、時短状態）に制御可能な遊技機であって、
前記第１始動条件または前記第２始動条件が成立したことにもとづいて、未だ開始されていない変動表示に関する情報を保留記憶として記憶可能な保留記憶手段（例えば、ＣＰＵ１０３が始動入賞処理のＳ１１０を実行する部分）と、
前記有利状態に制御するか否かを決定する決定手段と、
前記保留記憶に対応する変動表示の表示結果として前記特定表示結果が導出表示されるか否かを示唆する先読み予告演出を当該保留記憶に対応する変動表示より前に実行される変動表示において実行可能な先読み予告演出実行手段（例えば、演出制御用ＣＰＵ１２０が保留表示予告演出決定処理において決定した態様にもとづいて保留表示更新処理を実行する部分）と、
遊技媒体が進入可能な特定領域と、
遊技媒体が前記特定領域に進入しやすい第１状態と進入しないまたは進入しにくい第２状態とに変化可能な可変進入装置と、
を備え、
前記決定手段は、前記第２変動表示手段で変動表示が行われる場合には、前記第１変動表示手段で変動表示が行われる場合と比較して高い割合で前記有利状態に制御することを決定し、
遊技媒体が前記特定領域に進入した場合に前記第２始動条件が成立し、
前記先読み予告演出実行手段は、前記第１始動条件と前記第２始動条件が同時に成立した場合（例えば、ＣＰＵ１０３が始動入賞処理のＳ１０１，Ｓ１０２の実行後にＳ１０２ａ，１０２ｂを実行して同時入賞フラグをセットした場合）に、前記第１始動条件の成立にともなって記憶される保留記憶に対応する変動表示を対象とする先読み予告演出は実行せず（例えば、始動口バッファ値が「１」にセットされているときに同時入賞フラグがセットされている場合は、始動入賞処理においてＣＰＵ１０３が入賞時乱数値判定処理を実行しないことにより始動入賞時受信コマンドバッファ１９４Ａに変動カテゴリ指定コマンド及び図柄指定コマンドが格納されてないため、演出制御用ＣＰＵ１２０は、保留表示予告演出決定処理のＳ２４２ｄにおいて変動カテゴリ指定コマンドが格納されていないと判定することでＳ２５０の処理を実行して第１保留記憶表示エリア５Ｄに新たに表示する保留記憶表示を通常態様にて表示する）、前記第２始動条件の成立にともなって記憶される保留記憶に対応する変動表示を対象とする先読み予告演出を実行可能である
ことを特徴としている。
この特徴によれば、第１始動条件と第２始動条件とが同時に成立した場合、第１始動条件の成立にもとづく変動表示を対象とする先読み予告演出が実行されずに第２始動条件の成立にもとづく変動表示を対象とする先読み予告演出が実行されるので、遊技機の処理負荷を軽減できる。
他の例の遊技機は、請求項１に記載の遊技機であって、
遊技の進行を制御し、当該遊技の進行に応じてコマンドを送信する遊技制御手段と、
前記遊技制御手段から送信されるコマンドにもとづいて演出制御を行う演出制御手段と、
を備え、
前記遊技制御手段は、前記遊技機への電力供給が再開されたときに特定コマンドを送信し、
前記演出制御手段は、前記特定コマンドにもとづいて第１特定表示と第２特定表示とを共に表示し、
前記遊技制御手段は、
前記遊技機への電力供給の停止時に前記第１変動表示手段の変動表示が実行されておらず前記第２変動表示手段の変動表示が実行されていた場合には、前記遊技機への電力供給が再開されたときに第１終了コマンドを送信し、
前記遊技機への電力供給の停止時に前記第２変動表示手段の変動表示が実行されておらず前記第１変動表示手段の変動表示が実行されていた場合には、前記遊技機への電力供給が再開されたときに第２終了コマンドを送信し、
前記演出制御手段は、
前記特定コマンドにもとづいて前記第１特定表示と前記第２特定表示とを共に表示したときにおいて、前記第１終了コマンドにもとづいて前記第１特定表示の表示を終了し、前記第２終了コマンドにもとづいて前記第２特定表示の表示を終了する
ことを特徴としている。
この特徴によれば、電源供給が再開されたあとの遊技機の状態を分かり易くすることができる。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
可変表示を行い、有利状態に制御可能な遊技機であって、
可変表示に関する情報を保留記憶情報として記憶する保留記憶手段と、
前記保留記憶手段に記憶されている保留記憶情報に対応して保留表示を表示する保留表示手段と、
前記有利状態に制御するか否かを決定する決定手段と、
前記決定手段の決定前に、前記有利状態に制御されるか否かを判定する判定手段と、
前記判定手段による判定結果にもとづいて、保留表示を通常態様とは異なる表示態様に変化させる予告演出を実行する予告演出実行手段と、
保留表示の表示態様が変化する場合と、保留表示の表示態様が変化しない場合とで実行可能な演出であって、保留表示の表示態様が変化することを示唆する示唆演出を実行する示唆演出実行手段とを備え、
前記示唆演出実行手段は、前記保留表示手段によって表示されている保留表示のうちに前記通常態様とは異なる表示態様で表示されている保留表示があるときは、前記通常態様とは異なる表示態様で表示されている保留表示がないときと比べて、前記示唆演出を高い割合で実行可能であり、
保留表示の表示態様が変化する場合と、保留表示の表示態様が変化しない場合とで、第１態様の前記示唆演出が実行される割合と第２態様の前記示唆演出が実行される割合とが異なる、遊技機。
【手続補正２】
【補正対象書類名】明細書
【補正対象項目名】０００１
【補正方法】変更
【補正の内容】
【０００１】
本発明は、可変表示を行い、有利状態に制御可能な遊技機に関する。
【手続補正３】
【補正対象書類名】明細書
【補正対象項目名】０００９
【補正方法】変更
【補正の内容】
【０００９】
（Ａ）  可変表示（例えば、第１特別図柄や第２特別図柄、演出図柄の変動表示）を行い、有利状態（例えば、大当り遊技状態）に制御可能な遊技機であって、
可変表示に関する情報を保留記憶情報（例えば、第１保留記憶や第２保留記憶）として記憶する保留記憶手段（例えば、第１保留記憶バッファや第２保留記憶バッファ）と、
前記保留記憶手段に記憶されている保留記憶情報に対応して保留表示を表示する保留表示手段（例えば、合算保留記憶表示部１８ｃ）と、
前記有利状態に制御するか否かを決定する決定手段（例えば、遊技制御用マイクロコンピュータ５６０がステップＳ６１，Ｓ６２，Ｓ７３を実行する部分）と、
前記決定手段の決定前に、前記有利状態に制御されるか否かを判定する判定手段（例えば、遊技制御用マイクロコンピュータ５６０がステップＳ１２１７，Ｓ１２２８を実行する部分）と、
前記判定手段による判定結果にもとづいて、保留表示を通常態様とは異なる表示態様（例えば、特殊態様や第１特別態様、第２特別態様）に変化させる予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、
保留表示の表示態様が変化する場合と、保留表示の表示態様が変化しない場合とで実行可能な演出であって、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）とを備え、
前記示唆演出実行手段は、前記保留表示手段によって表示されている保留表示のうちに前記通常態様とは異なる表示態様で表示されている保留表示があるときは、前記通常態様とは異なる表示態様で表示されている保留表示がないときと比べて、前記示唆演出を高い割合で実行可能であり、
保留表示の表示態様が変化する場合と、保留表示の表示態様が変化しない場合とで、第１態様の前記示唆演出が実行される割合と第２態様の前記示唆演出が実行される割合とが異なる。
（１）  可変表示（例えば、第１特別図柄や第２特別図柄、演出図柄の変動表示）を行い、有利状態（例えば、大当り遊技状態）に制御可能な遊技機であって、
可変表示に関する情報を保留記憶情報（例えば、第１保留記憶や第２保留記憶）として記憶する保留記憶手段（例えば、第１保留記憶バッファや第２保留記憶バッファ）と、
前記保留記憶手段に記憶されている保留記憶情報に対応して保留表示を表示する保留表示手段（例えば、合算保留記憶表示部１８ｃ）と、
前記有利状態に制御するか否かを決定する決定手段（例えば、遊技制御用マイクロコンピュータ５６０がステップＳ６１，Ｓ６２，Ｓ７３を実行する部分）と、
前記決定手段の決定前に、前記有利状態に制御されるか否かを判定する判定手段（例えば、遊技制御用マイクロコンピュータ５６０がステップＳ１２１７，Ｓ１２２８を実行する部分）と、
前記判定手段による判定結果にもとづいて、保留表示を通常態様とは異なる表示態様（例えば、特殊態様や第１特別態様、第２特別態様）に変化させる予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、
保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）とを備え、
前記予告演出実行手段は、
保留記憶情報に対応する保留表示を前記通常態様とは異なる表示態様である複数種類の特別態様（第１特別態様または第２特別態様（本例の特殊態様も含む））のいずれかに変化させて表示することにより前記有利状態に制御される可能性を異なる期待度により予告する予告演出を実行可能であり、
通常態様で表示されている保留表示を特別態様に変化させて表示するときと、通常態様とは異なる表示態様（特殊態様（本例の第１特別態様も含む））で表示されている保留表示を特別態様（第１特別態様または第２特別態様）に変化させて表示するときとにおいて、異なる割合で複数種類の特別態様のいずれかに変化させ（例えば、演出制御用マイクロコンピュータ１００が、最終表示態様にもとづいて、先読み演出パターンを決定する先読み演出決定処理（ステップＳ６７１，Ｓ６７１０６，Ｓ６７１０７）を実行する部分と、先読み演出決定処理の決定結果にもとづいて、ステップＳ１８１３，Ｓ１８４５を実行する部分。図３４参照）、
前記決定手段による決定にもとづいて、特定演出を実行する特定演出実行手段をさらに備え、
前記示唆演出実行手段は、
前記保留表示手段によって表示されている保留表示のうちに前記通常態様とは異なる表示態様で表示されている保留表示があるか否かに応じて、異なる割合で示唆演出を実行し、
前記特定演出実行手段によって前記特定演出が実行されていないときに前記示唆演出を実行可能である。
【手続補正４】
【補正対象書類名】明細書
【補正対象項目名】００１０
【補正方法】変更
【補正の内容】
【００１０】
このような構成によれば、予告演出の興趣を高めることができる。
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
光を被検体に照射するための光出射部と、前記光出射部により光を照射された前記被検体から発生する光音響波を受信し、前記被検体に超音波を送信し反射波を受信する探触子と、を含むプローブと、
前記光出射部からの光の照射を制御する制御部と、
を有し、
前記光出射部は、所定の照射タイミングで光を照射し、
前記制御部は、前記所定の照射タイミング間において、前記探触子と前記被検体とが音響整合しているかどうかを、前記反射波を用いて判定し、かつ、
前記探触子と前記被検体とが音響整合している状態にある場合に、前記プローブと被検体とが相対的に離れる方向に動いているかどうかを判定することを特徴とする装置。
【請求項２】
前記制御部は、前記プローブと被検体とが相対的に離れる方向に動いていると判定した場合、前記光出射部からの光の照射を停止する
ことを特徴とする、請求項１に記載の装置。
【請求項３】
前記探触子は、前記被検体に繰り返し超音波を送信して反射波を受信し、前記制御部は、前記反射波から前記被検体内部の組織に相当する信号を抽出し、当該抽出した信号を得るのに要する時間が後の超音波送受信ほど長くなる場合、前記プローブと被検体とが相対的に離れる方向に動いていると判定する
ことを特徴とする、請求項１または２に記載の装置。
【請求項４】
前記光音響波を受信して前記被検体の情報を取得する
ことを特徴とする、請求項１ないし３のいずれか１項に記載の装置。
【請求項５】
光を被検体に照射するための光出射部と、前記光出射部により光を照射された前記被検体から発生する光音響波を受信し、前記被検体に超音波を送信し反射波を受信する探触子と、を含むプローブと、
前記光出射部からの光の照射を制御する制御部と、を有する装置の制御方法であって、
前記光出射部が、所定の照射タイミングで光を照射する工程と、
前記制御部が、前記所定の照射タイミング間において、前記探触子と前記被検体とが音
響整合しているかどうかを、前記反射波を用いて判定する工程と、
前記探触子と前記被検体とが音響整合している状態にある場合に、前記制御部が、前記プローブと被検体とが相対的に離れる方向に動いているかどうかを判定する工程と、
を含むことを特徴とする装置の制御方法。
【請求項６】
前記制御部が、前記プローブと被検体とが相対的に離れる方向に動いていると判定した場合に前記光出射部からの光の照射を停止する工程、を更に含む
ことを特徴とする、請求項５に記載の装置の制御方法。
【請求項７】
前記装置は、前記光音響波を受信して前記被検体の情報を取得する装置である
ことを特徴とする、請求項５または６に記載の装置の制御方法。
【手続補正２】
【補正対象書類名】明細書
【補正対象項目名】０００９
【補正方法】変更
【補正の内容】
【０００９】
本発明は以下の構成を採用する。すなわち、光を被検体に照射するための光出射部と、前記光出射部により光を照射された前記被検体から発生する光音響波を受信し、前記被検体に超音波を送信し反射波を受信する探触子と、を含むプローブと、前記光出射部からの光の照射を制御する制御部と、を有し、前記光出射部は、所定の照射タイミングで光を照射し、
前記制御部は、前記所定の照射タイミング間において、前記探触子と前記被検体とが音響整合しているかどうかを、前記反射波を用いて判定し、かつ、前記探触子と前記被検体とが音響整合している状態にある場合に、前記プローブと被検体とが相対的に離れる方向に動いているかどうかを判定することを特徴とする装置である。
【手続補正３】
【補正対象書類名】明細書
【補正対象項目名】００１０
【補正方法】変更
【補正の内容】
【００１０】
本発明はまた、以下の構成を採用する。すなわち、光を被検体に照射するための光出射部と、前記光出射部により光を照射された前記被検体から発生する光音響波を受信し、前記被検体に超音波を送信し反射波を受信する探触子と、を含むプローブと、前記光出射部からの光の照射を制御する制御部と、を有する装置の制御方法であって、前記光出射部が、所定の照射タイミングで光を照射する工程と、前記制御部が、前記所定の照射タイミング間において、前記探触子と前記被検体とが音響整合しているかどうかを、前記反射波を用いて判定する工程と、前記探触子と前記被検体とが音響整合している状態にある場合に、前記制御部が、前記プローブと被検体とが相対的に離れる方向に動いているかどうかを判定する工程と、を含むことを特徴とする装置の制御方法である。
【手続補正４】
【補正対象書類名】明細書
【補正対象項目名】００１１
【補正方法】削除
【補正の内容】
【手続補正５】
【補正対象書類名】明細書
【補正対象項目名】発明の名称
【補正方法】変更
【補正の内容】
【発明の名称】装置および装置の制御方法
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
取得条件の成立に基づいて、第１情報を取得する取得手段と、
その取得手段により取得された前記第１情報を複数記憶可能な記憶手段と、
その記憶手段に記憶された前記第１情報に基づいて判別を実行する判別手段と、
その判別手段による判別結果を示すための第１識別情報が表示される第１表示手段と、
その第１表示手段に前記第１識別情報を動的表示させる表示制御手段と、
特定の前記判別結果を示すための前記第１識別情報が表示された場合に、遊技者に有利となる特典を付与することが可能な特典付与手段と、を有した遊技機において、
前記記憶手段に前記第１情報が記憶されている数に対応した第２識別情報が表示される第２表示手段と、
その第２表示手段に表示される前記第２識別情報の表示態様を決定する表示態様決定手段と、を有し、
前記表示態様決定手段は、
所定条件の成立に基づいて、表示されている複数の前記第２識別情報のうち少なくとも一部をそれぞれ複数組み合わせることで、遊技情報を報知することが可能となる報知表示態様を決定することが可能に構成されているものであり、
前記特定の判別結果を示すための前記第１識別情報が表示されることが決定されている場合に、特定の前記報知表示態様を決定することが可能に構成されているものであることを特徴とする遊技機。
【請求項２】
前記第１表示手段は、液晶ディスプレイで構成されているものであることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、取得条件の成立に基づいて、第１情報を取得する取得手段と、その取得手段により取得された前記第１情報を複数記憶可能な記憶手段と、その記憶手段に記憶された前記第１情報に基づいて判別を実行する判別手段と、その判別手段による判別結果を示すための第１識別情報が表示される第１表示手段と、その第１表示手段に前記第１識別情報を動的表示させる表示制御手段と、特定の前記判別結果を示すための前記第１識別情報が表示された場合に、遊技者に有利となる特典を付与することが可能な特典付与手段と、を有し、前記記憶手段に前記第１情報が記憶されている数に対応した第２識別情報が表示される第２表示手段と、その第２表示手段に表示される前記第２識別情報の表示態様を決定する表示態様決定手段と、を有し、前記表示態様決定手段は、所定条件の成立に基づいて、表示されている複数の前記第２識別情報のうち少なくとも一部をそれぞれ複数組み合わせることで、遊技情報を報知することが可能となる報知表示態様を決定することが可能に構成されているものであり、前記特定の判別結果を示すための前記第１識別情報が表示されることが決定されている場合に、特定の前記報知表示態様を決定することが可能に構成されているものである。
【手続補正３】
【補正対象書類名】明細書
【補正対象項目名】０００７
【補正方法】変更
【補正の内容】
【０００７】
請求項２記載の遊技機は、請求項１に記載の遊技機において、前記第１表示手段は、液晶ディスプレイで構成されているものである。
【手続補正４】
【補正対象書類名】明細書
【補正対象項目名】０００８
【補正方法】変更
【補正の内容】
【０００８】
請求項１記載の遊技機によれば、取得条件の成立に基づいて、第１情報を取得する取得手段と、その取得手段により取得された前記第１情報を複数記憶可能な記憶手段と、その記憶手段に記憶された前記第１情報に基づいて判別を実行する判別手段と、その判別手段による判別結果を示すための第１識別情報が表示される第１表示手段と、その第１表示手段に前記第１識別情報を動的表示させる表示制御手段と、特定の前記判別結果を示すための前記第１識別情報が表示された場合に、遊技者に有利となる特典を付与することが可能な特典付与手段と、を有し、前記記憶手段に前記第１情報が記憶されている数に対応した第２識別情報が表示される第２表示手段と、その第２表示手段に表示される前記第２識別情報の表示態様を決定する表示態様決定手段と、を有し、前記表示態様決定手段は、所定条件の成立に基づいて、表示されている複数の前記第２識別情報のうち少なくとも一部をそれぞれ複数組み合わせることで、遊技情報を報知することが可能となる報知表示態様を決定することが可能に構成されているものであり、前記特定の判別結果を示すための前記第１識別情報が表示されることが決定されている場合に、特定の前記報知表示態様を決定することが可能に構成されているものである。
【手続補正５】
【補正対象書類名】明細書
【補正対象項目名】００１０
【補正方法】変更
【補正の内容】
【００１０】
請求項２記載の遊技機によれば、請求項１記載の遊技機の奏する効果に加え、次の効果を奏する。即ち、前記第１表示手段は、液晶ディスプレイで構成されているものである。よって、多様な表示態様を表示できるという効果がある。
【手続補正６】
【補正対象書類名】明細書
【補正対象項目名】０９４９
【補正方法】変更
【補正の内容】
【０９４９】
１０                  パチンコ機（遊技機）
８１                  第３図柄表示装置（第１表示手段、第２表示手段）
１１３                表示制御装置（表示制御手段）
２０３                ＲＡＭ（記憶手段）
Ｓ３０５              判別手段
Ｓ４０２              取得手段
Ｓ１４１３            表示態様決定手段の一部
【手続補正書】
【提出日】平成29年10月16日(2017.10.16)
【手続補正１】
【補正対象書類名】明細書
【補正対象項目名】００１２
【補正方法】変更
【補正の内容】
【００１２】
また、(１)または（２）に記載の粉末配合物であって、さらに植物性乳酸菌を配合した粉末配合物とするのも好ましい。
【手続補正２】
【補正対象書類名】明細書
【補正対象項目名】００１４
【補正方法】変更
【補正の内容】
【００１４】
さらに、前記植物性乳酸菌が、Lactobacillus piantarum Formula-1である粉末配合物とするのも好ましい。
【手続補正３】
【補正対象書類名】明細書
【補正対象項目名】００１６
【補正方法】変更
【補正の内容】
【００１６】
（３）さらに、（１）または（２）に記載の粉末配合物であって、前記椎茸菌子実体の芽は、菌床椎茸栽培によって栽培した菌床から採取してなる粉末配合物とすると良い。
【手続補正４】
【補正対象書類名】明細書
【補正対象項目名】００１８
【補正方法】変更
【補正の内容】
【００１８】
（４）前述の（１）〜（３）いずれか１項に記載の粉末配合物は、飲食物、医薬品、医薬部外品、哺乳類用医薬品、または、哺乳類用えさである粉末配合物とすると良い。
【手続補正５】
【補正対象書類名】特許請求の範囲
【補正対象項目名】全文
【補正方法】変更
【補正の内容】
【特許請求の範囲】
【請求項１】
椎茸菌子実体の芽を粉砕した芽粉末を配合した粉末配合物。
【請求項２】
請求項１に記載の粉末配合物であって、
前記芽粉末は、
前記椎茸菌子実体の芽の乾燥粉末である
粉末配合物。
【請求項３】
請求項１または請求項２に記載の粉末配合物であって、
前記椎茸菌子実体の芽は、菌床椎茸栽培によって栽培した菌床から採取してなる
粉末配合物。
【請求項４】
請求項１〜請求項３のいずれか１項に記載の粉末配合物は、
飲食物、医薬品、医薬部外品、哺乳類用医薬品、または、哺乳類用えさである
粉末配合物。
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
イミノオキサジアジンジオンまたはオキサジアザジオンを含有し、少なくとも１個の遊離イソシアネート基を有するポリイソシアネートと、アルコールとを反応させることにより得ることができるフルオロウレタンであって、ポリイソシアネートおよび／またはアルコールが少なくとも１個のフッ素原子で置換されており、０．５重量％未満のイソシアネート基含量、および１重量％未満の未反応ヒドロキシ官能性化合物含量を有する、前記フルオロウレタン（ただし、前記アルコールがアミノアルコールであるものを除く）。
【請求項２】
一般式（ＩＩＩ）：
【化３】
2017071790.tif 000001
［式中、ｍは１以上８以下であり、Ｒ４、Ｒ５、Ｒ６は、水素、および／または互いに独立して未置換のまたは場合によりヘテロ原子で置換されていてもよい、イミノオキサジアジンジオン構成要素および／またはオキサジアザジオン構成要素を有する直鎖、分岐、環式または複素環式の有機基であると同時に、基Ｒ４、Ｒ５、Ｒ６の少なくとも２つは少なくとも１個のフッ素原子で置換されている］
で示されるフルオロウレタンであって、
０．５重量％未満のイソシアネート基含量、および１重量％未満の未反応ヒドロキシ官能性化合物含量を有する、前記フルオロウレタン（ただし、ウレア基を有するものを除く）。
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
遠隔操作装置と通信可能に構成された作業機であって、
前記遠隔操作装置から操作信号を受信する通信部と、
前記作業機の運転室内に配置される主操作装置又は前記遠隔操作装置からの操作信号に応じて、前記作業機に搭載されたアクチュエータを制御する制御部と、
を備え、
前記制御部は、前記作業機の状態が所定の条件を満たさない場合、前記アクチュエータに対する前記遠隔操作装置による遠隔操作を不許可とするように構成されており、
前記所定の条件には、前記作業機の状態が当該条件を一旦満たせば前記遠隔操作装置による遠隔操作が許可される第１の条件と、前記作業機の状態が当該条件を満たしている間に限って前記遠隔操作装置による遠隔操作が許可される第２の条件と、が含まれ、前記作業機の部位に応じて前記第１の条件と前記第２の条件とが選択的に設定される、
作業機。
【請求項２】
移動式クレーンに適用される、
請求項１に記載の作業機。
【請求項３】
前記第１の条件は、前記作業機の作業用補助ブレーキがＯＮになることを含む、
請求項２に記載の作業機。
【請求項４】
前記第２の条件は、前記作業機のブームの伸び量が所定量以下となっていることを含む、
請求項２に記載の作業機。
【請求項５】
前記制御部は、前記第１又は第２の条件のいずれかを満たさない場合、少なくとも一の前記アクチュエータに対する前記遠隔操作装置による遠隔操作を不許可とする、
請求項１に記載の作業機。
【請求項６】
前記制御部は、前記作業機の状態が前記所定の条件を満たさない場合、当該所定の条件に対応する内容を報知する、
請求項１に記載の作業機。
【手続補正２】
【補正対象書類名】明細書
【補正対象項目名】発明の名称
【補正方法】変更
【補正の内容】
【発明の名称】作業機
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
重鎖と軽鎖とを含む、薬剤として用いるための安定化されたIgG4抗体であって、該重鎖が405位のPhe残基のAla, Val, Gly, Ile 及びLeuからなる群より選択される残基への置換を有するヒトIgG4定常領域を含み、該抗体はインビボでFabアーム交換をひき起こす能力が低減されており、アミノ酸ナンバリングは、Kabat et al.,において記述されるEU-インデックスに従う、前記安定化されたIgG4抗体。
【請求項２】
抗体のCH3領域が、ヒトIgG1、ヒトIgG2、またはヒトIgG3のCH3領域に置き換えられている、請求項１記載の安定化IgG4抗体。
【請求項３】
235位に対応する位置でのLeu残基のGluによる置換を含まず、アミノ酸ナンバリングは、Kabat et al.,において記述されるEU-インデックスに従う、請求項１〜２のいずれか1項記載の安定化IgG4抗体。
【請求項４】
235位に対応する位置でのLeu残基のGluによる置換を含み、アミノ酸ナンバリングは、Kabat et al.,において記述されるEU-インデックスに従う、請求項１〜３のいずれか1項記載の安定化IgG4抗体。
【請求項５】
以下の置換の1つまたは複数を含む、請求項１〜４のいずれか1項記載の安定化IgG4抗体：234位でAla、236位でAla、237位でAla、297位でAla、318位でAlaまたはVal、320位でAla、322位でAlaまたはGln。
【請求項６】
ヒンジ領域においてCys-Pro-Pro-Cys配列を含まない、請求項１〜５のいずれか1項記載の安定化IgG4抗体。
【請求項７】
ヒンジ領域において、Xがプロリンを除くアミノ酸であり得るCXPCまたはCPXC配列を含む、請求項１〜５のいずれか1項記載の安定化IgG4抗体。
【請求項８】
ヒンジ領域においてCPSC配列を含む、請求項１〜７のいずれか1項記載の安定化IgG4抗体。
【請求項９】
同じ可変領域を有する対応するIgG1またはIgG3抗体よりCDCおよび／またはADCCの媒介効率が低い、請求項１〜８のいずれか1項記載の安定化IgG4抗体。
【請求項１０】
ヒト抗体、ヒト化抗体、およびキメラ抗体からなる群より選択される、請求項１〜９のいずれか1項記載の安定化IgG4抗体。
【請求項１１】
ヒトカッパ軽鎖またはヒトラムダ軽鎖を含む、請求項１〜１０のいずれか1項記載の安定化IgG4抗体。
【請求項１２】
二価抗体である、請求項１〜１１のいずれか1項記載の安定化IgG4抗体。
【請求項１３】
完全長の抗体である、請求項１〜１２のいずれか1項記載の安定化IgG4抗体。
【請求項１４】
細胞障害剤；放射性同位元素；プロドラッグもしくはタキサンのような薬物；サイトカイン；およびケモカインからなる群より選択される化合物に連接している、請求項１〜１３のいずれか1項記載の安定化IgG4抗体。
【請求項１５】
請求項１〜１４のいずれか1項において定義された安定化IgG4抗体を含む薬学的組成物。
【請求項１６】
疾患または障害を処置するための薬剤を調製するための、請求項１〜１４のいずれか1項に記載の安定化IgG4抗体の使用。
【請求項１７】
宿主細胞において抗体をコードする核酸構築物を発現させる段階を含む、請求項１〜１４のいずれか1項記載の安定化IgG4抗体を産生するための方法。
【請求項１８】
抗体を精製する段階をさらに含む、請求項１７記載の安定化IgG4抗体を産生するための方法。
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
構造（Ｉ）を有する化合物、あるいは、そのＮ−オキシド、Ｎ，Ｎ’−ジオキシド、Ｎ，Ｎ’，Ｎ’’−トリオキシド、または、薬学的に許容可能な塩であって、
【化１】
2017071634.tif 000001
ここで、
ＱはＯであり、
ＷはＣ６−Ｃ１２アリールであり、
Ｘは存在せず、
ＹはＮＨであり、
Ｚ１およびＺ２の各々は、ＣＨおよびＮからなる群から独立して選択され、
Ｚ３は、Ｏ、ＮまたはＮＲ５であり、ここで、Ｒ５は、水素または非置換のＣ１−Ｃ６アルキルであり、
Ｒ１は、１−３のヘテロ原子を有する随意に置換されたＣ３−Ｃ１２二環式ヘテロアリールであるか、あるいは、１−３のヘテロ原子を有する随意に置換されたＣ３−Ｃ１２二環式ヘテロアリールによって置換されたＣ１−Ｃ６アルキルであり、
各々のＲ２およびＲ３は、ＣＦ３およびハロゲンからなる群から独立して選択され、
ｐは、０、１または２であり、
Ｒ４は、水素、ハロゲン、および非置換のＣ１−Ｃ６アルキルからなる群から独立して選択され、および、
ｎは１または２である、化合物。
【請求項２】
構造（Ｉ）を有する化合物が以下からなる群から選択される、請求項１に記載の化合物。
【化２】
2017071634.tif 000002
【化３】
2017071634.tif 000003
【化４】
2017071634.tif 000004
【化５】
2017071634.tif 000005
【化６】
2017071634.tif 000006
【請求項３】
薬学的に許容可能な担体において、請求項１に記載される化合物を含む医薬組成物。
【請求項４】
ヒト被験体における癌、再狭窄、内膜過形成、繊維症、または、血管形成に依存した疾患の処置において使用される請求項１に記載の化合物。
【請求項５】
構造（ＩＶ）を有する化合物、あるいは、そのＮ−オキシド、Ｎ，Ｎ’−ジオキシド、Ｎ，Ｎ’，Ｎ’’−トリオキシド、または、薬学的に許容可能な塩であって、
【化７】
2017071634.tif 000007
ここで、
Ｚ１およびＺ２はＮであり、
Ｚ３はＮＲ５であり、ここで、Ｒ５は、水素または非置換のＣ１−Ｃ６アルキルであり、
Ｒ１は、１−３のヘテロ原子を有する随意に置換されたＣ３−Ｃ１２ヘテロアリールであり、
Ｒ４は、水素、ハロゲン、および、非置換のＣ１−Ｃ６アルキルからなる群から独立して選択され、ｎは１または２であり、および、
Ｒ１３は、随意に置換された−Ｎ−（Ｃ１−Ｃ６アルキル）ピラゾリルであるか、あるいは、以下の構造からなる群から選択される化合物。
【化８】
2017071634.tif 000008
【請求項６】
構造（ＩＶ）を有する化合物は、以下からなる群から選択される、請求項５に記載の化合物。
【化９】
2017071634.tif 000009
【請求項７】
薬学的に許容可能な担体において、請求項５に記載される化合物を含む医薬組成物。
【請求項８】
ヒト被験体における癌、再狭窄、内膜過形成、繊維症、または、血管形成に依存した疾患の処置において使用される請求項５に記載の化合物。
【請求項９】
構造（Ｖ）を有する化合物、あるいは、そのＮ−オキシド、Ｎ，Ｎ’−ジオキシド、Ｎ，Ｎ’，Ｎ’’−トリオキシド、または、薬学的に許容可能な塩であって、
【化１０】
2017071634.tif 000010
ここで、
Ｒ１は１−３のヘテロ原子を有する随意に置換されたＣ３−Ｃ１２ヘテロアリールであり、
Ｒ４は、水素、ハロゲン、およびＣ１−Ｃ６アルキルからなる群から独立して選択され、ｎは１または２であり、および、
Ｒ１４は、随意に置換されたＣ１−Ｃ１２アルキル、随意に置換されたＣ３−Ｃ１２シクロアルキル、１−３のヘテロ原子を有する随意に置換されたＣ３−Ｃ１０複素環、随意に置換されたＣ６−Ｃ１２アリール、および、１−３のヘテロ原子を有する随意に置換されたＣ３−Ｃ１２ヘテロアリールからなる群から選択される、化合物。
【請求項１０】
構造（Ｖ）を有する化合物は、以下からなる群から選択される、請求項９に記載の化合物。
【化１１】
2017071634.tif 000011
【請求項１１】
薬学的に許容可能な担体において、請求項９に記載される化合物を含む医薬組成物。
【請求項１２】
ヒト被験体における癌、再狭窄、内膜過形成、繊維症、または、血管形成に依存した疾患の処置において使用される請求項９に記載の化合物。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
先ず、溶解物を生成するために破壊される癌細胞が補充され、かつ、その後、樹状細胞が補充される、ポリマーワクチン足場装置。
【請求項２】
(a)癌細胞のための化学誘引物質および(b)免疫細胞補充組成物の放出を時間的に制御する、請求項1記載の装置。
【請求項３】
免疫細胞補充組成物に対する分子親和性とは異なる、癌細胞のための化学誘引物質に対する分子親和性を持つポリマーを含む、請求項2記載の装置。
【請求項４】
癌細胞のための化学誘引物質および免疫細胞補充組成物が、装置全体に散在する、請求項3記載の装置。
【請求項５】
(a)第一の分解特性を有する第一のポリマーの組成物であって、該第一のポリマーが癌細胞のための化学誘引物質を含む組成物；および
(b)第二の分解特性を有する第二のポリマーの組成物であって、該第二のポリマーが免疫細胞補充組成物を含む組成物、
を含む、請求項1記載のポリマーワクチン足場装置であって、
該第一のポリマーおよび該第二のポリマーが装置全体に散在し、かつ先ず、溶解物を生成するために破壊される癌細胞が補充され、かつ、その後、免疫細胞が補充される、請求項1記載のポリマーワクチン足場装置。
【請求項６】
癌と診断された対象において、プロセシングされた腫瘍抗原をインサイチューインサイチューで産生するための、請求項5記載の装置。
【請求項７】
それを必要とする対象において癌を治療するための、請求項1記載の装置。
【請求項８】
多孔性ポリマー、癌細胞のための化学誘引物質、および細胞毒性誘発組成物を備える、腫瘍抗原プロセシング装置。
【請求項９】
前記細胞毒性誘発組成物が高体温誘発粒子を含む、請求項8記載の装置。
【請求項１０】
前記細胞毒性誘発組成物が金ナノ粒子または金ナノロッドを含む、請求項8記載の装置。
【請求項１１】
それを必要とする対象において癌を治療するための、請求項8記載の装置。
【請求項１２】
該装置が、免疫細胞補充組成物をさらに備える、請求項11記載の装置。
【請求項１３】
前記化学誘引物質、前記細胞毒性誘発組成物および前記免疫細胞補充組成物が、多孔性ポリマー全体に散在する、請求項12記載の装置。
【請求項１４】
前記多孔性ポリマーが、前記化学誘引物質および前記細胞毒性誘発組成物を含む第一の領域、ならびに前記免疫細胞補充組成物を含む第二の領域を含む、請求項12記載の装置。
【請求項１５】
対象において形質細胞様樹状細胞活性化を増大させるための、請求項8記載の装置。
【請求項１６】
それを必要とする対象において、免疫細胞、例えば樹状細胞を活性化させるための、請求項8記載の装置であって、該装置が該対照に投与され、かつ投与された位置がレーザー照射される、請求項8記載の装置。
【請求項１７】
前記装置が、移植、例えば皮下移植によって投与される、請求項16記載の装置。
【請求項１８】
癌細胞の化学誘引物質を含む多孔性三次元足場を、癌と診断された対象に投与することを含む、プロセシングされた腫瘍抗原をインサイチューで産生するための装置であって、
該足場が、癌と診断された対象に投与され、かつ循環性癌細胞を蓄積するのに十分な期間、インサイチューにおいて維持されて癌細胞含有足場が得られ、かつ
該細胞含有足場が、細胞毒性因子または細胞溶解性因子に接触して癌細胞を破壊して、それによりプロセシングされた腫瘍抗原を産生する、
装置。
【請求項１９】
前記足場が、
(a)癌細胞の化学誘引物質および細胞毒性誘発組成物を含む第一の領域；および
(b)免疫細胞補充組成物を含む第二の領域、
を含む、請求項18記載の装置。
【請求項２０】
前記細胞毒性因子が、前記細胞含有足場への外部からの熱、超音波、レーザー照射、またはγ線照射の適用を含む、請求項18記載の装置。